(57)【要約】【課題】可変入賞装置の組み立てのやりやすさと小型化とを図る。【解決手段】球検出器５が後部品３の検出器収容部２３に収容され、配線４０が検出器収容部２３から検出配線通し部２４を経由して後部品３の外部に引き出され、開閉部品４の扉軸３３が前部品２の扉軸受部９又は後部品３の扉軸受部２１に収容され、前部品２の結合部１１と後部品３の結合部２２とが互いに有頭螺子部材４３で結合されるにより、開閉部品４の扉軸３３が前部品２の扉軸受部９と後部品３の扉軸受部２１と回転可能に支持され、開閉部品４の扉３２が前部品２の入賞口７に開閉し得るように配置され、開閉駆動機構２６のリンクレバー２９と開閉部品４のリンク突起３４とが互いに連結され、検出器収容部２３に収容された球検出器５が飛び出ないように前部品２で支持され、前部品２と後部品３と開閉部品４と入賞口７と球検出器５と開閉駆動機構２６とが直線状に配置されている。【選択図】図１
2011255085.tif 000002
【特許請求の範囲】
【請求項１】
前部品と後部品と開閉部品と球検出器とからなるパチンコ遊技機の可変入賞装置であって、前部品が可変入賞装置の前側意匠を形成する前部品躯体と前部品躯体に前後方向への貫通孔として形成された入賞口と前部品躯体の後部に設けられた扉軸受部と扉軸受部に干渉しないように前部品躯体の後部に設けられた結合部とを備え、後部品が前部品躯体の入賞口から取り込まれた球を排出する後部品躯体と後部品躯体の前部に設けられた扉軸受部と扉軸受部に干渉しないように後部品躯体の内部に設けられた検出器収容部と、検出器収容部と干渉しないように後部品躯体に設けられた開閉駆動機構とを備え、開閉部品が前部品の入賞口を開閉する扉と扉の下部に設けられた扉軸と扉軸に干渉しないように扉の下部に設けられたリンク突起とを備え、開閉駆動機構が後部品躯体に固定される電磁ソレノイドとばねとプランジャーとプランジャーに連結されたリンクレバーとを備えた構造であり、球検出器が後部品の検出器収容部に収容され、開閉部品の扉軸が前部品の扉軸受部又は後部品の扉軸受部に収容され、前部品の結合部と後部品の結合部とが互いに結合されることにより、開閉部品の扉軸が前部品の扉軸受部と後部品の扉軸受部とで回転可能に支持され、開閉部品の扉が前部品の入賞口を開閉し得るように配置され、開閉駆動機構のリンクレバーと開閉部品のリンク突起とが互いに連結され、上記検出器収容部に収容された球検出器が検出器収容部から飛び出ないように前部品で支持され、前部品と後部品と開閉部品と球検出器とが互いに組み合わされたことにより、前部品と後部品と開閉部品と入賞口と球検出器と開閉駆動機構が直線状に配置されたことを特徴とするパチンコ遊技機の可変入賞装置。
【請求項２】
入賞口の横幅及び上下幅が１個の球の直径の２倍未満の寸法であることにより、入賞口が球を１個ずつ取り込むことができるものの２個以上の球を平行に並んだ状態で取り込むことができない大きさであることを特徴とする請求項１記載のパチンコ遊技機の可変入賞装置。
【発明の詳細な説明】
【技術分野】
【０００１】
本発明は、パチンコ遊技機の構造が簡単で小型な可変入賞装置に関する。
【背景技術】
【０００２】
図１３は、特許文献１で開示されたパチンコ遊技機の可変入賞装置を示す。図１３において、可変入賞装置１２１は、前面パネル１２２に上下の入賞口１２３；１２４を備える。上部の入賞口１２３は、下部の入賞口１２４よりも横幅が広くなっている。入賞口１２３には、扉１２５が設けられる。扉１２５は、図外の開閉駆動機構により扉１２５の下部を回転中心として斜め前方に前傾状に開放される構成である。入賞口１２４には、扉１２６が設けられる。扉１２６は、図外の上記と別の開閉駆動機構により扉１２６の下部を回転中心として斜め前方に前傾状に開放される構成である。扉１２５と扉１２６とは、個別に開閉されるようになっている。そして、可変入賞装置１２１が遊技盤１２７に設けられ、扉１２５又は扉１２６が開放されると、遊技盤１２７の前面を流下する球が開いた扉１２５又は開いた扉１２６から入賞口１２３又は入賞口１２４に入賞する可能性がある。扉１２５又は扉１２６が閉じられると、遊技盤の前面を流下する球が入賞口１２３又は入賞口１２４に入ることはない。扉１２６が閉じられた場合、遊技盤１２７の前面を流下する球が左右一対の誘導部１２８から当該誘導部１２８の間に設けられた上下方向への貫通孔１２９を通過して遊技盤１２７の前面に排出するようになっている。しかしながら、横幅の広い扉１２５を有する上部の入賞口１２３と横幅の狭い扉１２６を有する下部の入賞口１２４とが前面パネル１２２に設けられた複雑な構造であると共に、可変入賞装置１２１が大型になる。可変入賞装置１２１が大型になると、可変入賞装置１２１を配置する場所が遊技盤１２７に設けられた図外のセンター飾りよりも下方に限定され、当該大型の可変入賞装置１２１をセンター飾りの横に併設することは無理になり、遊技性に欠けるという欠点がある。
【先行技術文献】
【特許文献】
【０００３】
【特許文献１】特開２００７‐３８０１８号公報
【発明の概要】
【発明が解決しようとする課題】
【０００４】
発明が解決しようとする課題は、可変入賞装置が小型化できないという点である。
【課題を解決するための手段】
【０００５】
本発明に係る可変入賞装置は、前部品と後部品と開閉部品と球検出器とからなるパチンコ遊技機の可変入賞装置であって、前部品が可変入賞装置の前側意匠を形成する前部品躯体と前部品躯体に前後方向への貫通孔として形成された入賞口と前部品躯体の後部に設けられた扉軸受部と扉軸受部に干渉しないように前部品躯体の後部に設けられた結合部とを備え、後部品が前部品躯体の入賞口から取り込まれた球を排出する後部品躯体と後部品躯体の前部に設けられた扉軸受部と扉軸受部に干渉しないように後部品躯体の内部に設けられた検出器収容部と、検出器収容部と干渉しないように後部品躯体に設けられた開閉駆動機構とを備え、開閉部品が前部品の入賞口を開閉する扉と扉の下部に設けられた扉軸と扉軸に干渉しないように扉の下部に設けられたリンク突起とを備え、開閉駆動機構が後部品躯体に固定される電磁ソレノイドとばねとプランジャーとプランジャーに連結されたリンクレバーとを備えた構造であり、球検出器が後部品の検出器収容部に収容され、開閉部品の扉軸が前部品の扉軸受部又は後部品の扉軸受部に収容され、前部品の結合部と後部品の結合部とが互いに結合されることにより、開閉部品の扉軸が前部品の扉軸受部と後部品の扉軸受部とで回転可能に支持され、開閉部品の扉が前部品の入賞口を開閉し得るように配置され、開閉駆動機構のリンクレバーと開閉部品のリンク突起とが互いに連結され、上記検出器収容部に収容された球検出器が検出器収容部から飛び出ないように前部品で支持され、前部品と後部品と開閉部品と球検出器とが互いに組み合わされたことにより、前部品と後部品と開閉部品と入賞口と球検出器と開閉駆動機構が直線状に配置されたことを最も主要な特徴とする。
【発明の効果】
【０００６】
本発明に係る可変入賞装置は、前部品と後部品とが互いに結合されることにより開閉部品と球検出器とが前部品と後部品との内部に支持されかつ開閉部品と開閉駆動機構のリンクレバーとが互いに連結されたことにより、可変入賞装置の組み立てがやりやすいという利点があるうえ、前部品と後部品と開閉部品と入賞口と球検出器と開閉駆動機構が直線状に配置されたことにより、可変入賞装置が小型になるという利点がある。
【図面の簡単な説明】
【０００７】
【図１】実施の形態に係る可変入賞装置を示す分解斜視図。
【図２】実施の形態に係る可変入賞装置を示す外観斜視図。
【図３】実施の形態に係る前部品及び開閉部品を示す分解斜視図。
【図４】実施の形態に係る後部品を示す分解斜視図。
【図５】図４のＡ−Ａ線断面図。
【図６】図４のＢ−Ｂ線断面図。
【図７】実施の形態に係る前部品と後部品及び開閉部品を示す分解斜視図。
【図８】実施の形態に係る可変入賞装置を前後方向に切断した開閉部品の閉じた状態を示す縦断面図。
【図９】実施の形態に係る可変入賞装置を前後方向に切断した開閉部品の開いた状態を示す縦断面図。
【図１０】実施の形態に係る開閉駆動機構を示す分解斜視図。
【図１１】実施の形態に係る可変入賞装置の使い方を示す模式図。
【図１２】他の実施の形態に係る機構躯体に電磁ソレノイドを取り付ける構造を示す分解斜視図。
【図１３】従来の可変入賞装置が遊技盤に取り付けられた状態を示す外観斜視図。
【発明を実施するための形態】
【０００８】
「実施の形態１」
本明細書における「前」、「後」、「左」、「右」、「上」、「下」の方向は、図２の状態に可変入賞装置１を置いて矢印Ｓで示す前側から見た場合に特定される方向である。
【０００９】
図１を参照し、可変入賞装置１について説明する。可変入賞装置１は、前部品２と後部品３と開閉部品４と球検出器５とからなる。前部品２は、前部品躯体６と入賞口７と位置決め部８と扉軸受部９と後球誘導部１０と結合部１１と取付部１２とを備える。前部品躯体６は、可変入賞装置１の前面意匠を形成するものである。入賞口７は、前部品躯体６に前後方向への貫通孔として形成される。位置決め部８は、入賞口７を間に置いて左右に対峙する一対として、前部品躯体６の後部に突出して設けられる。
【００１０】
扉軸受部９は、開閉部品４の扉軸３３の上下方向の直径よりも前方に位置する前半部を回転可能に収容し得るように位置決め部８の後面から前方への窪みとして設けられる。図１には、右の位置決め部８と右の扉軸受部９とが図示されていない。扉軸受部９及び結合部１１は、互いに干渉しない位置で前部品躯体６の後部に設けられる。後球誘導部１０は、前部品躯体６の前方から入賞口７に入賞した球を後方の後部品３の内部に誘導するものであって、前部品躯体６の後部に上記球を自重で斜め下方に転がすような樋状に設けられる。取付部１２は、前部品２を図２に示す遊技盤４４に皿頭付き木ねじのような有頭螺子部材４６で取り付ける場合に使用されるものであって、取付部１２の前面から後方にすり鉢状に窪む皿穴を構成する。
【００１１】
図１において、前部品２としては、前球誘導部１３を持っていなくてもよいが、前球誘導部１３を前部品躯体６の前面に備えたものを例示する。前球誘導部１３は、前部品躯体６の前方に流下する球を入賞口７の方向に誘導するものである。前球誘導部１３の前部品２への取り付け方については、図３で説明する。
【００１２】
図１に戻り、前球誘導部１３には、球通過孔１４と前飾り部１５と扉見せ部１６と扉ストッパー１７とが設けられる。球通過孔１４は、前球誘導部１３の左右方向の中央部に上下方向への貫通孔として設けられ、球通過孔１４の左右における前球誘導部１３の上面を球通過孔１４の方向に自重で転がって来た球を前球誘導部１３の下方に落下させるものである。球通過孔１４の横方向の直径は、１個の球の直径の２倍未満の寸法である。これにより、球通過孔１４は、球を１個ずつ落下させることができるものの、２個以上の球を平行に並んで落下させることができない大きさであるが、入賞口７の横幅と同じか又はそれ以上の寸法になっている。
【００１３】
そこで、前球誘導部１３が入賞口７の前に出っ張らないように、球通過孔１４と入賞口７との位置が合わせられることにより、開閉部品４の扉３２が入賞口７から球通過孔１４の方向に前傾状に開いたり球通過孔１４から入賞口７の方向に縦方向に閉じたりする場合に前球誘導部１３に干渉することがなく円滑に開閉することができる。
【００１４】
前飾り部１５は、前球誘導部１３の上面を転がる球を前球誘導部１３より前方に落下しないように球通過孔１４の方向に速やかに誘導する衝立を構成する。前飾り部１５の前球誘導部１３から上方への突出寸法は、前球誘導部１３の上面で入賞口７の方向に転がる球を前飾り部１５の前方から遊技者に常に見せる寸法になっている。扉見せ部１６は、扉３２が開いた状態か閉じた状態かを前球誘導部１３の前方から遊技者に把握させるためのものであって、球通過孔１４と対応する位置で前飾り部１５に設けられる。
【００１５】
扉見せ部１６としては、前飾り部１５の下方から上方に窪みかつ前後方向に貫通した凹部を構成する態様を図示したが、前飾り部１５に前後方向への貫通孔として設けられる態様であってもよい。前飾り部１５の後面には、扉ストッパー１７が扉見せ部１６の周りの球通過孔１４に位置して設けられる。扉ストッパー１７は、前傾状に開いた扉３２の前部を受け止めるものである。扉ストッパー１７の作用は、図９で説明する。
【００１６】
後部品３は、後部品躯体１９と位置決め部２０と扉軸受部２１と結合部２２と検出器収容部２３と検出配線通し部２４；２５と開閉駆動機構２６とを備える。後部品躯体１９は、入賞口７から取り込まれた球を後下方に排出するものであって、前面から見た形が方形で前後方向に貫通した筒状になっている。位置決め部２０は、前部品２と後部品３とが互いに組み立てられる場合、位置決め部８に嵌め合わされて前部品２と後部品３との相互の位置を決めるものであって、後部品躯体１９における左右の側壁２７の前面から後方への窪みとして、左右の側壁２７の前部に設けられる。
【００１７】
扉軸受部２１は、前部品２と後部品３とが互いに組み立てられる場合、開閉部品４の扉軸３３の上下方向の直径よりも後側の後半部を回転可能に収容し得るように、位置決め部２０の奥に位置する面から後方への窪みとして、後部品躯体１９の前部に設けられる。結合部２２は、扉軸受部２１に干渉しない位置で後部品躯体１９の前部に設けられる。検出器収容部２３は、扉軸受部２１や結合部２２に干渉しない位置で後部品躯体１９の内部に設けられる。
【００１８】
検出配線通し部２４は、後部品躯体１９の右の側壁２７の前面から後方に窪みかつ前方及び左右方向に開放された凹部として設けられる。検出配線通し部２５は、後部品躯体１９の右の側壁２７の外面から右側に突出した横片と横片の右部から下方に突出した縦片とを有し、横片と縦片と右の側壁２７とで区画された下方及び前後方向に開放された凹部を構成する。開閉駆動機構２６は、検出器収容部２３と干渉しないように後部品躯体１９に設けられる。開閉駆動機構２６は、電磁ソレノイド２８とリンクレバー２９とを備える。電磁ソレノイド２８は、後部品躯体１９に固定される。リンクレバー２９は、レバー軸３０を回転中心として電磁ソレノイド２８で上下方向に揺動運動する。
【００１９】
開閉部品４は、扉３２と扉軸３３とリンク突起３４と閉じストッパー３５とを備える。扉３２は、前部品２の入賞口７を開閉するものである。扉軸３３は、扉３２の下部に設けられる。リンク突起３４は、扉軸３３に干渉しないように扉３２の下部に設けられる。例えば、リンク突起３４は、扉３２の左側面から左方向に直線的に突出しかつ扉３２の右側面から右方向に直線的に突出して扉３２に一体に設けられる。閉じストッパー３５は、扉軸３３とリンク突起３４とに干渉しないように扉３２の下部に設けられる。例えば、閉じストッパー３５は、扉３２の左右側面から下方に突出する。閉じストッパー３５の作用は、次のとおりである。開閉部品４が前部品２と後部品３との内部に取り付けられ、扉３２が扉軸３３を回転中心として入賞口７を閉じた場合、閉じストッパー３５が前部品躯体６の入賞口７周りの部分に受け止められ、それ以上、扉３２が後方に回転せずに入賞口７を閉じる。
【００２０】
球検出器５は、短冊形の板状になった検出躯体３７の一半部に球検出孔３８を有し、検出躯体３７の球検出孔３８周りの内部及び他半部の内部に球を検出するための図外の電気部品を有し、他端部にコネクター３９を有する。コネクター３９には、配線４０の一端に設けられたコネクター４１が接続される。配線４０は、球検出器５の内部の電気部品への電力供給や電気部品が球を検出した電気信号を出力するものであって、他端にもコネクター４２を有する。
【００２１】
そして、前部品２と後部品３と開閉部品４と球検出器５とが次のように組み立てられることで、可変入賞装置１が図２に示す形に構成される。具体的には、図１において、先ず、球検出器５が後部品３の前方から検出器収容部２３に収容される。その場合、球検出孔３８の存在する側の一端部から検出器収容部２３に収容され、配線４０が検出器収容部２３から検出配線通し部２４を経由して後部品３の外部に引き出される。この配線４０の外側に引き出された部分は、検出配線通し部２５に配置される。また、開閉部品４の扉軸３３が前部品２の扉軸受部９又は後部品３の扉軸受部２１に収容される。球検出器５を検出器収容部２３に収容する作業と開閉部品４の扉軸３３を扉軸受部９又は扉軸受部２１に収容する作業は、どちらが先でもよい。次に、前部品２の結合部１１と後部品３の結合部２２とが互いに頭付ビスのような有頭螺子部材４３で結合される。
【００２２】
以上により、開閉部品４の扉軸３３が前部品２の扉軸受部９と後部品３の扉軸受部２１とで挟まれた態様で回転可能に支持され、開閉部品４の扉３２が前部品２の入賞口７に開閉し得るように配置され、開閉駆動機構２６のリンクレバー２９と開閉部品４のリンク突起３４とが互いに連結され、上記検出器収容部２３に収容された球検出器５が検出器収容部２３から飛び出ないように前部品２で支持される。
【００２３】
つまり、前部品２と後部品３とが互いに結合されることにより、開閉部品４と球検出器５とが前部品２と後部品３との内部に支持されかつ開閉部品４と開閉駆動機構２６のリンクレバー２９とが互いに連結され、前部品２と後部品３と開閉部品４と球検出器５とが互いに組み合わされて図２に示す可変入賞装置１が構成される。これにより、可変入賞装置１が組み立てのやりやすい構造になっている。
【００２４】
図２では、可変入賞装置１の開閉部品４が入賞口７を閉じた状態になっている。可変入賞装置１は、前部品２と後部品３と開閉部品４と入賞口７と球検出器５と開閉駆動機構２６とのそれぞれを直線状に配置した構造である。これにより、可変入賞装置が小型になる。可変入賞装置１が遊技盤４４に取り付けられる場合について説明すると、遊技盤４４の可変入賞装置１を取り付ける部分には、逃げ孔４５が前後方向に貫通して設けられる。そして、可変入賞装置１が前方より遊技盤４４に取り付けられる。その場合、開閉駆動機構２６から逃げ孔４５に挿入され、有頭螺子部材４６が前方から取付部１２を経由して逃げ孔４５周りの遊技盤４４に装着され、前部品躯体６の後面が遊技盤４４の前面に接触し、前部品躯体６が逃げ孔４４を前方から見えないように目隠しをする。
【００２５】
図３を参照し、前部品２と開閉部品４との構造について詳述する。先ず、前部品２の構造について説明すると、前部品躯体６には、入賞口７と位置決め部８と扉軸受部９と後球誘導部１０と結合部１１と取付部１２と位置決め部４９と取付部５０とが設けられる。入賞口７の横幅及び上下幅は、１個の球の直径の２倍未満の寸法である。これにより、入賞口７は、球を１個ずつ取り込むことができるものの、２個以上の球を平行に並んだ状態で取り込むことができない大きさである。
【００２６】
位置決め部４９は、前球誘導部１３を前部品躯体６に取り付ける場合に前球誘導部１３の位置決め部５１に嵌め込まれるものである。取付部５０は、前球誘導部１３を前部品躯体６に取り付ける場合に使用されるものであって、前部品躯体６の後面から前方にすり鉢状に窪む皿穴を構成する。
【００２７】
前球誘導部１３には、球通過孔１４と前飾り部１５と扉見せ部１６と位置決め部５１と取付部５２とが設けられる。位置決め部５１は、前球誘導部１３を前部品躯体６に取り付ける場合に前部品躯体６の位置決め部４９に嵌め込まれて前部品２と前球誘導部１３との相互の位置を決めるものである。位置決め部４９が凹部又は貫通孔を構成する場合は位置決め部５１が突起を構成し、位置決め部４９が突起を構成する場合は位置決め部５１が凹部又は貫通孔を構成する。取付部５２は、前球誘導部１３を前部品躯体６に取り付ける場合に使用されるものであって、前球誘導部１３の後面から前方に窪む貫通していない孔を構成する。
【００２８】
前部品２の組み立て方について説明すると、先ず、前部品躯体６の前面と前球誘導部１３の後面とが互いに向かい合わせられ、前部品躯体６の位置決め部４９と前球誘導部１３の位置決め部５１とが互いに嵌め合わされる。これにより、球通過孔１４の左右における前球誘導部１３が入賞口７より入賞口７の方向に出っ張ることがないように、球通過孔１４の位置と入賞口７の位置とが互いに合わせられる。従って、扉３２が扉軸３３を回転中心として入賞口７から前側に前傾状に開口した場合に球通過孔１４の左右における前球誘導部１３に接触することなく球通過孔１４に適切に配置される。
【００２９】
次に、皿頭付きタッピングスクリューのような有頭螺子部材５３が前部品躯体６の後方から前部品躯体６の取付部５０を経由して前球誘導部１３の取付部５２に装着される。これにより、有頭螺子部材５３の頭部が前部品躯体６の取付部５０に収容されて受け止められ、前球誘導部１３が前部品２の前面に取り付けられ、前部品２が図１に示す態様に構成される。
【００３０】
図３に戻り、前部品２と前球誘導部１３とが皿頭付きタッピングスクリューのような有頭螺子部材５３で結合された場合において、有頭螺子部材５３の頭部が前部品躯体６の後面より後方に突出しない構成になっている。このため、図外の丸頭螺子のような有頭螺子部材で前部品２と前球誘導部１３とを結合した構成よりも、前部品躯体６の前後方向の厚さが薄く形成できる。何故ならば、丸頭収容凹部を前部品躯体６に形成するよりも、皿穴を前部品躯体６に形成する方が前部品躯体６の前後方向の厚さを薄くできるからである。
【００３１】
開閉部品４の構造について説明すると、開閉部品４の扉３２の下部には、リンク突起３４と扉ストッパー３５と軸受孔５４とが設けられる。軸受孔５４は、左右方向への貫通孔を構成する。扉軸３３は、扉３２の左右方向の横幅よりも長さを有しかつ軸受孔５４に挿入される太さの丸棒により構成される。扉軸３３は扉３２と一体に構成されてもよいが上記のように扉３２に嵌め込み式に装着する構成であれば、例えば扉３２を合成樹脂部材で構成し、扉軸３３を金属部材で構成するというように、扉３２を構成する材料と扉軸３３を構成する材料とを異種材料にしても、可変入賞装置１が使用済となった場合に扉３２と扉軸３３とを構成材料ごとに分別することができる。
【００３２】
開閉部品４の組み立て方について説明すると、扉軸３３が扉３２の左右方向の一方向から軸受孔５４に挿入され、扉軸３３の両端部が扉３２から左右の外側に突出された状態になって、扉軸３３が扉３２に装着されて、図１に示す開閉部品４が構成される。
【００３３】
図４を参照し、後部品３の構造について説明する。後部品躯体１９の内部には、隔壁５５が左右に対峙する一対に設けられる。左右の隔壁５５の前部には、扉逃げ部５６が隔壁５５の前面から後方への窪みとして設けられる。左の隔壁５５と左の側壁２７との間、右の隔壁５５と右の側壁２７との間のそれぞれには、前後方向に貫通したレバー収容部５７が設けられる（図５参照）。図４には、右の隔壁５５と右の扉逃げ部５６とが図示されていない。右の側壁２７には、検出配線通し部２４；２５が設けられる。後部品躯体１９の後部には、取付部５８と位置決め部５９と軸ストッパー６０とが設けられる。
【００３４】
取付部５８は、後部品躯体１９の上下左右の四隅に設けられる。取付部５８には、取付孔６１が取付部５８の後面から前方に窪むものの前方に貫通していない穴として設けられる。位置決め部５９は、後部品躯体１９と開閉駆動機構２６とが組み立てられる場合、開閉駆動機構２６の位置決め部８７に嵌め込まれて後部品躯体１９と開閉駆動機構２６との相互の位置を決めるものである。位置決め部５９が左右の側壁２７の後面から前方に窪みかつ後方及び左右方向に開放された凹部を構成する場合は位置決め部８７が突起を構成し、位置決め部５９が突起を構成する場合は位置決め部８７が凹部を構成する。軸ストッパー６０は、後部品躯体１９と開閉駆動機構２６とが組み立てられる場合、開閉駆動機構２６のレバー軸３０を前側から回転可能に支持するように、位置決め部５９の前側奥に位置する面から後方への突起を構成する。このように、軸ストッパー６０がレバー軸３０を回転可能に支持することにより、レバー軸３０が左右方向に移動することがなくかつ脱落することがない。図４には、左下の取付部５８と左の位置決め部５９と左の軸ストッパー６０とが図示されていない。
【００３５】
開閉駆動機構２６は、機構躯体６３に電磁ソレノイド２８とばね６４とリンクレバー２９とを搭載し、電磁ソレノイド２８のプランジャー６６とリンクレバー２９とが連結部材６７で互いに連結された構造になっている。そして、電磁ソレノイド２８に電力が供給されておらず、ばね６４の弾力がプランジャー６６を前方に移動するように付勢している場合、つまり、電磁ソレノイド２８への電力供給が停止し、プランジャー６６がばね６４の弾力で前方に移動した場合、連結部材６７がリンクレバー２９の後連結部６８を前方に押す。これにより、リンクレバー２９の前連結部６９がレバー軸３０を回転中心として下方に回転して停止した状態になる。
【００３６】
開閉駆動機構２６の後部品躯体１９への組み立て方について説明すると、リンクレバー２９の前連結部６９が下方に停止した状態において、リンクレバー２９の左右の前連結部６９が後部品躯体１９の後方から左右のレバー収容部５７に別々に挿入される。それにより、開閉駆動機構２６の取付部８６よりも前側に配置されたリンクレバー２９と連結部材６７と検出器ストッパー９１及びばね６４の前部が後部品躯体１９の内部に収容され、後部品躯体１９の位置決め部５９と開閉駆動機構２６の位置決め部８７とが互いに嵌め合わされる。そして、頭付きタッピングスクリューのような有頭螺子部材７２が取付部８６の取付孔９６を経由して取付部５８の取付孔６１に装着されて、図１及び図７に示す後部品３として構成される。検出器ストッパー９１が後部品躯体１９の内部に収容された場合に検出器収容部２３の後部を図８に示すよう塞ぎ、それにより、検出器ストッパー９１が後部品躯体１９の前方から検出器収容部２３に収容された球検出器５を受け止めるので、球検出器５が検出器収容部２３の適切な位置に収容される。
【００３７】
図５及び図６を参照し、後部品躯体１９の内部構造について説明する。左右の隔壁５５の後部には、後隔壁７５が配置される。とりわけ、図６において、後隔壁７５は、球を下方に誘導するような弧状に形成される。左右の隔壁５５と後隔壁７５とが球通路７６としての空間を構成する。後隔壁７５の下部と後部品躯体１９の底壁７７との間には、検出器収容部２３が前後方向に貫通した空間として形成される。左右の隔壁５５の扉逃げ部５６よりも下部には、後球誘導逃げ部７８が後方及び上方への窪みとして設けられる。後部品躯体１９の底壁７７には、球排出口７９が少なくとも球通路７６と対応する位置で上下方向に貫通して設けられる。
【００３８】
図７を参照し、前部品２と開閉駆動機構２６との組み立て方について説明する。球検出器５が後部品３の検出器収容部２３に収容され、例えば、開閉部品４の扉軸３３が前部品２の扉軸受部９に収容された後、有頭螺子部材４３が後部品３の後方から結合部２２を経由して結合部１１に装着されることにより、可変入賞装置１が図２に示すように構成される。
【００３９】
図８を参照し、扉３２が入賞口７を閉じた状態における可変入賞装置１の内部について説明する。前部品２と後部品３とが互いに組み合わせられる場合に、後球誘導部１０が後球誘導逃げ部７８に配置されて球検出器５の球検出孔３８よりも前方に位置する部分を前方及び上方から支持し、かつ、後隔壁７５と検出器ストッパー９１とが球検出器５の球検出孔３８よりも後方に位置する部分を上方及び後方から支持する。つまり、検出器収容部２３に収容された球検出器５が後球誘導部１０と検出器ストッパー９１と後隔壁７５とで前後方向及び上下方向に移動しないように検出器収容部２３に適切に配置される。これにより、球検出器５が球検出孔３８を通過する球を適切に検出する。また、電磁ソレノイド２８への電力供給が停止し、プランジャー６６がばね６４の弾力で前方に移動し、連結部材６７がリンクレバー２９の後連結部６８を前方に押し、連結部材６７の被係合部１０５が後部品躯体１９のプランジャーストッパー９０に受け止められ、リンクレバー２９の前連結部６９がレバー軸３０を回転中心として下方に回転して停止している。
【００４０】
以上により、開閉部品４の扉３２が扉軸３３を回転中心として前方から後方に回転して縦状態となって入賞口７の内部に配置されて入賞口７を閉じている。このように入賞口７が扉３２で閉じられた状態において、球８３が可変入賞装置１の上方から矢印Ｘ１で示すように前部品躯体６の入賞口７及び扉３２の前方並びに前球誘導部１３から球通過孔１４を経由して遊技盤４４の前方に排出される。
【００４１】
図８及び図９を参照し、扉３２が入賞口７を閉じた状態から開いた状態に変化する過程について説明する。図８に示すように、扉３２が入賞口７を閉じた状態において、電力が電磁ソレノイド２８に供給される。これにより、図９に示すように、プランジャー６６がばね６４の弾力に抗して後方に移動し、連結部材６７がリンクレバー２９の後連結部６８を後方に引き、リンクレバー２９の前部の前連結部６９がレバー軸３０を回転中心として上方に回転するのに伴い、開閉部品４の扉３２が扉軸３３を回転中心として後方に回転して停止する。これにより、扉３２が入賞口７から球通過孔１４の方向に移動して入賞口７を開放し、扉３２が扉軸３３を回転中心として前傾状となって扉ストッパー１７に受け止められている。図８及び図９における符号８４は、透明な前面ガラスを示す。前面ガラス８４は、遊技盤４４を交換可能に装着するパチンコ遊技機に設けられる部材である。遊技盤４４と前面ガラス８４との間は、遊技球としての球８３が飛び交う空間としての遊技領域になっている。
【００４２】
図９に示すように、扉３２が入賞口７を開放して前傾状となった場合において、球が可変入賞装置１の上方から矢印Ｘ２で示すように前部品躯体６の前方を下方に通過して扉３２に受け止められると、当該球が扉３２の上面を転がりつつ矢印Ｘ３で示すように入賞口７から後部品躯体１９の内部と球検出器５の球検出孔３８及び球排出口７９を経由し可変入賞装置１の下方の外部に排出される。
【００４３】
開いた扉３２の前部が扉ストッパー１７で受け止められ、扉軸３３が扉軸受部９（図１参照）及び扉軸受部２１（図１参照）で支持されている。つまり、開いた扉３２の前部と後部とが扉ストッパー１７と扉軸受部９；２１（図１参照）とで支持された構成であるので、図９において、落下する球が扉３２に受け止められる場合、扉３２が衝突する球からの荷重に耐えて前傾状の姿勢を適切に確保して当該球を球通路７６の方向に誘導することができる。
【００４４】
図１０を参照し、開閉駆動機構２６の構成について説明する。開閉駆動機構２６は、機構躯体６３と電磁ソレノイド２８とリンクレバー２９と連結部材６７とを備える。機構躯体６３には、ソレノイド固定部８５と取付部８６と位置決め部８７とレバー軸受部８８とレバー導入部８９とプランジャーストッパー９０と検出器ストッパー９１とソレノイド配線通し部９２と検出配線通し部９３とが設けられる。ソレノイド固定部８５は、電磁ソレノイド２８を固定するものである。ソレノイド固定部８５には、取付孔９４が上下方向に貫通して複数個設けられる。取付部８６は、ソレノイド固定部８５の前部に垂直な板状に設けられる。取付部８６の中央部には、開口部９５が前後方向に貫通して設けられる。取付部８６の周縁部の四隅には、取付孔９６が前後方向に貫通して設けられる。図１０には、下方の取付孔９６が図示されていない。
【００４５】
位置決め部８７は、開口部９５を間に置いて左右に対峙する一対として、取付部８６の
前部に前方に突出して設けられる。レバー軸受部８８は、左右の位置決め部８７の前部に外側に突出して設けられる。レバー導入部８９は、左右のレバー軸３０を左右の位置決め部８７の前方からレバー軸受部８８に嵌め込むように誘導するものであって、左右の位置決め部８７の前部に前面から後方に窪みかつ内側及びレバー軸受部８８に貫通した凹部を構成する。プランジャーストッパー９０は、左右の位置決め部８７に左右に対峙しかつ内側に突出して設けられる。図１０には、右のプランジャーストッパー９０が図示されていない。検出器ストッパー９１は、取付部８６の下部から前方に突出かつ左右の位置決め部８７の下部に繋がっている。ソレノイド配線通し部９２及び検出配線通し部９３は、右の位置決め部８７の外面から右側に突出した横片と横片の右部から上方に突出した縦片とを有し、横片と縦片と右の位置決め部８７とで区画された上方及び前後方向に開放された凹部を構成する。
【００４６】
電磁ソレノイド２８は、電磁変換部９９の中心孔１００に配置されるプランジャー６６を電磁変換部９９の電磁力とばね６４の弾力とで直進往復運動をするように駆動するアクチュエータである。プランジャー６６の前部には、係合部１０１がプランジャー６６よりも大きな外形を有する態様に設けられる。電磁変換部９９には、取付孔１０２が複数個設けられる。取付孔１０２は、貫通孔の内面に雌螺子の形成された螺子孔として構成される。
【００４７】
リンクレバー２９は、左右に対峙する一対のアーム部１０３の後部が互いに横片部１０４で結合された構成である。左右のアーム部１０３の後部には、レバー軸３０が外側に突出して設けられる。具体的には、レバー軸３０は、左のアーム部１０３の左側面から左方向に直線的に突出しかつ右のアーム部１０３の右側面から右方向に直線的に突出してアーム部１０３に一体に設けられる。横片部１０４の左右方向中央部には、後連結部６８が上方に突出して設けられる。後連結部６８は、レバー軸３０よりも後方に位置する。左右のアーム部１０３の前部には、前連結部６９が前面から後方に窪みかつ左右に貫通した凹部として設けられる。
【００４８】
連結部材６７は、被係合部１０５とレバー連結部１０６とを備える。被係合部１０５には、係合収容部１０７とプランジャー逃げ部１０８とを備える。係合収容部１０７は、プランジャー６６の係合部１０１に上方から嵌め込まれるものであって、被係合部１０５の下面から上方に窪む凹部を構成する。プランジャー逃げ部１０８は、係合収容部１０７がプランジャー６６の係合部１０１に嵌め込まれる場合にプランジャー６６を逃げるものである。レバー連結部１０６は、被係合部１０５の上部から前方に突出して設けられる。レバー連結部１０６の前部には、後連結収容部１０９が設けられる。後連結収容部１０９は、リンクレバー２９の後連結部６８に上方から嵌め込まれるものであって、レバー連結部１０６の下面から上方に窪みかつ左右に貫通した凹部を構成する。
【００４９】
開閉駆動機構２６の組み立て方について説明する。電磁ソレノイド２８とプランジャー６６とばね６４と連結部材６７とが機構躯体６３に取り付けられ、また、リンクレバー２９が機構躯体６３に取り付けられる。
【００５０】
先ず、電磁ソレノイド２８とプランジャー６６とばね６４と連結部材６７とが機構躯体６３に取り付けられる場合について説明する。例えば、電磁ソレノイド２８がソレノイド固定部８５に搭載され、有頭螺子部材１１０がソレノイド固定部８５の下方から取付孔９４を経由して電磁ソレノイド２８の取付孔１０２に装着される。これにより、電磁ソレノイド２８がソレノイド固定部８５に固定される。また、ばね６４がプランジャー６６に後方から外嵌装着され、連結部材６７の係合収容部１０７がプランジャー６６の係合部１０１に外嵌装着される。このばね６４及び連結部材６７の装着されたプランジャー６６が機構躯体６３の取付部８６よりも前方から開口部９５を経由して電磁ソレノイド２８の中心孔１００に挿入される。
【００５１】
そして、連結部材６７が後方に押されてばね６４を電磁ソレノイド２８に押し付けて圧縮させ、連結部材６７の被係合部１０５がプランジャーストッパー９０よりも後方に位置すると、連結部材６７が下方に移動される。その状態において、連結部材６７から上記後方に押す力を解除することにより、ばね６４の弾力が被係合部１０５を前方に押すように被係合部１０５に作用し、被係合部１０５がプランジャーストッパー９０に受け止められる。これにより、電磁ソレノイド２８とプランジャー６６とばね６４と連結部材６７とが機構躯体６３に取り付けられる。
【００５２】
上記電磁ソレノイド２８とプランジャー６６とばね６４と連結部材６７とが機構躯体６３に取り付けられる順序は、上記に限定されるものではなく、次のようにしてもよい。例えば、ばね６４や連結部材６７の装着されたプランジャー６６が開口部９５を前方から後方に経由して電磁ソレノイド２８の中心孔１００に挿入され、被係合部１０５がプランジャーストッパー９０に受け止められたようにして、有頭螺子部材１１０がソレノイド固定部８５の下方から取付孔９４を経由して電磁ソレノイド２８の取付孔１０２に装着され、電磁ソレノイド２８がソレノイド固定部８５に固定される。これにより、電磁ソレノイド２８とプランジャー６６とばね６４と連結部材６７とが機構躯体６３に取り付けられる。電磁ソレノイド２８がソレノイド固定部８５に固定された場合、電磁ソレノイド２８の電磁変換部９９から外部に延びた図外の配線が取付部８６の後方からソレノイド配線通し部９２を経由して機構躯体６３の外部に引き出される。
【００５３】
次に、リンクレバー２９が機構躯体６３に取り付けられる場合について説明する。例えば、左のレバー軸３０が機構躯体６３の前方から左のレバー導入部８９を経由して左のレバー軸受部８８に内側から外側に向けて挿入され、左のアーム部１０３が左の位置決め部８７の方向に寄せられる。そして、右のレバー軸３０が機構躯体６３の前方から右のレバー導入部８９を経由してレバー軸受部８８に内側から外側に向けて挿入され、右のアーム部１０３が右の位置決め部８７の方向に寄せられ、左右のレバー軸３０が左右のレバー軸受部８８に個別に嵌め込まれるように調整されることにより、開閉駆動機構２６が図４に示すように構成される。
【００５４】
図１１を参照し、可変入賞装置１の使い方について説明する。可変入賞装置１や始動入賞装置１１１の取り付けられた図外の遊技盤が図外のパチンコ遊技機に装着され、遊技者がパチンコ遊技機のハンドルを操作し、パチンコ遊技機の発射機が受皿から供給された球を１個ずつパチンコ遊技機の前面ガラスと遊技盤との間の遊技領域に発射され、その球が始動入賞装置１１１の入賞口１１２に入賞すると、始動入賞装置１１１の球検出器１１３が入賞口１１２に入賞した球を検出した電気信号を制御装置１１４に出力し、制御装置１１４がコンピュータ処理による内部抽選を実行し、内部抽選の結果を遊技者に見せるように図外の画像表示器で確定表示する。内部抽選の結果が、例えば、小当たりの場合は可変入賞装置１の開閉部品４が入賞口７を２回開くように制御装置１１４がコンピュータ処理により可変入賞装置１の開閉駆動機構２６を制御し、大当たりの場合は可変入賞装置１の開閉部品４が入賞口７を５回開くように制御装置１１４がコンピュータ処理により可変入賞装置１の開閉駆動機構２６を制御する。上記開いた入賞口７に入賞した球を可変入賞装置１の球検出器５が検出して電気信号を制御装置１１４に出力するごとに、制御装置１１４がコンピュータ処理によりパチンコ遊技機の球払出装置を制御し、球払出装置が賞球としての球をパチンコ遊技機の受皿に払い出す。上記可変入賞装置１の開閉部品４が入賞口７を開く回数は、２回及び５回に限定されるものではなく、１回、３回、４回、６回以上であってもよい。また、開くきっかけは、小当たりや大当たりに限定されるものでなく、小当たりや大当たり以外の当たりでもよい。入賞口１１２としては、チャッカータイプとポケットタイプとチューリップタイプとのいずれのタイプに構成してもよい。チャッカータイプは、遊技盤の前方から取り込む口が定形であって当該取り込んだ球を遊技盤の前方に排出する構造である。ポケットタイプは、遊技盤の前方から取り込んだ球を遊技盤の後方に排出する構造である。チューリップタイプは、球を取り込む口の横幅が広くなったり狭くなったりすると共に遊技盤の前方から取り込んだ球を遊技盤の後方に排出する構造である。
【００５５】
「実施の形態２」
図１２を参照し、開閉駆動機構２６の機構躯体６３に電磁ソレノイド２８を螺子部材以外の手段で固定する構造について説明する。機構躯体６３のソレノイド固定部８５には、取付部１１５が複数個設けられる。取付部１１５のそれぞれは、縦に二つに割れた一対の支柱１１６の上部にフック部１１７を備えた構造である。そして、電磁ソレノイド２８がソレノイド固定部８５に次のように取り付けられる。電磁ソレノイド２８の取付孔１０２が取付部１１５に上方から嵌め込まれると、一対の支柱１１６が互いに近づくように撓み、フック部１１７が取付孔１０２より上方に突出するのに伴い、一対の支柱１１６が互いに離れる方向に復元し、フック部１１７が電磁ソレノイド２８の取付孔１０２を囲む部分に係合し、電磁ソレノイド２８がソレノイド固定部８５に固定される。
【００５６】
可変入賞装置１は、アタッカーや電動式チューリップとして使用可能である。電動式チューリップの場合、例えば、図２において、前球誘導部１３が除去され、開閉部品４が入賞口７を開閉駆動機構２６で開閉される構造になる。また、開閉部品４の扉３２の形は、板状の左右に球を後部品３の方向に導く側壁を有する構造でもよい。
【符号の説明】
【００５７】
１は可変入賞装置、２は前部品、３は後部品、４は開閉部品、５は球検出器、６は前部品躯体、７は入賞口、８は位置決め部、９は扉軸受部、１０は後球誘導部、１１は結合部、１２は取付部、１３は前球誘導部、１４は球通過孔、１５は前飾り部、１６は扉見せ部、１７は扉ストッパー、１８は欠番、１９は後部品躯体、２０は位置決め部、２１は扉軸受部、２２は結合部、２３は検出器収容部、２４；２５は検出配線通し部、２６は開閉駆動機構、２７は側壁、２８は電磁ソレノイド、２９はリンクレバー、３０はレバー軸、３１は欠番、３２は扉、３３は扉軸、３４はリンク突起、３５は閉じストッパー、３６は欠番、３７は検出躯体、３８は球検出孔、３９はコネクター、４０は配線、４１；４２はコネクター、４３は有頭螺子部材、４４は遊技盤、４５は逃げ孔、４６は有頭螺子部材、４７；４８は欠番、４９は位置決め部、５０は取付部、５１は位置決め部、５２は取付部、５３は有頭螺子部材、５４は軸受孔、５５は隔壁、５６は扉逃げ部、５７はレバー収容部、５８は取付部、５９は位置決め部、６０は軸ストッパー、６１は取付孔、６２は欠番、６３は機構躯体、６４はばね、６５は欠番、６６はプランジャー、６７は連結部材、６８は後連結部、６９は前連結部、７０；７１は欠番、７２は有頭螺子部材、７３；７４は欠番、７５は後隔壁、７６は球通路、７７は底壁、７８は後球誘導逃げ部、７９は球排出口、８０乃至８２は欠番、８３は球、８４は前面ガラス、８５はソレノイド固定部、８６は取付部、８７は位置決め部、８８はレバー軸受部、８９はレバー導入部、９０はプランジャーストッパー、９１は検出器ストッパー、９２はソレノイド配線通し部、９３は検出配線通し部、９４は取付孔、９５は開口部、９６は取付孔、９７；９８は欠番、９９は電磁変換部、１００は中心孔、１０１は係合部、１０２は取付孔、１０３はアーム部、１０４は横片部、１０５は被係合部、１０６はレバー連結部、１０７は係合収容部、１０８はプランジャー逃げ部、１０９は後連結収容部、１１０は有頭螺子部材、１１１は始動入賞装置、１１２は入賞口、１１３は球検出器、１１４は制御装置、１１５は取付部、１１６は支柱、１１７はフック部、１１８乃至１２０は欠番、１２１は可変入賞装置、１２２は前面パネル、１２３；１２４は入賞口、１２５；１２６は扉、１２７は遊技盤、１２８は誘導部、１２９は貫通孔。
【図１】
2011255085.tif 000003
【図２】
2011255085.tif 000004
【図３】
2011255085.tif 000005
【図４】
2011255085.tif 000006
【図５】
2011255085.tif 000007
【図６】
2011255085.tif 000008
【図７】
2011255085.tif 000009
【図８】
2011255085.tif 000010
【図９】
2011255085.tif 000011
【図１０】
2011255085.tif 000012
【図１１】
2011255085.tif 000013
【図１２】
2011255085.tif 000014
【図１３】
2011255085.tif 000015